(57)【特許請求の範囲】
【請求項１】
水道水等の原水に含まれている塩素やゴミ、細菌等を浄化する第１カートリッジ（１）と、該第１カートリッジ（１）により浄化された水を活性化させる第２カートリッジ（５）とを備え、前記第１カートリッジ（１）と前記第２カートリッジ（５）が流路（１０）で連結された水処理装置において、それぞれのパイプ側壁に複数の穴（１１ａ，１２ａ）を設けた複数本の穴あきパイプ（１１，１２）が前記第２カートリッジ（５）内に設けられ、前記複数本の穴あきパイプ（１１，１２）が切換装置（１３）を介して前記流路（１０）に連通している、水処理装置。
【請求項２】
前記切換装置（１３）が前記各穴あきパイプ（１１，１２）の一方あるいは両方に浄化された水を供給できる請求項１に記載の水処理装置。
【請求項３】
前記複数本の穴あきパイプ（１１，１２）の穴数を異ならしめたことを特徴とする請求項１または２に記載の水処理装置。
【請求項４】
前記複数本の穴あきパイプ（１１，１２）の穴径を異ならしめ、穴数を同数としたことを特徴とする請求項１または２に記載の水処理装置。
【発明の詳細な説明】
【０００１】
【発明の属する技術分野】
本発明は、水道水等の原水に含まれている塩素やゴミ、細菌等を除去して浄化し、さらには浄化した水を活性化させてミネラル分、カルシュウム分等を付加させる水処理装置に関する。
【０００２】
【従来の技術】
従来、一般に使用されている水処理装置は、浄水器あるいは活水器等といわれ、いずれも水道水等の原水に含まれている塩素やゴミ、細菌等を除去して浄化した後、さらに、その浄化した水を活性化させてミネラル分、カルシュウム分等を付加させている。
【０００３】
そして、前記水道水等の原水に含まれている塩素やゴミ、細菌等を除去して浄化するために濾過剤が使用され、さらに、浄化した水にミネラル分、カルシュウム分等を付加させるために活性剤が使用されており、前記濾過剤及び活性剤のそれぞれは、その濾過能力及び活性能力の限界において交換する便宜を考慮してカートリッジに構成されている（登録実用新案第３００６７０３号公報参照）。
【０００４】
すなわち、従来の水処理装置は、例えば、前記公報に示されているようにその内部に塩素やゴミ、細菌等を除去するための濾過剤２が充填され、下端に水道水等の原水の供給口３、上端に浄化した水の流出口４が設けられる第１カートリッジ１と、内部には前記浄化された水にミネラル分、カルシュウム分等を付加するための活性剤６が充填され、上端に前記浄化された水の流入口７、下端に流出口８が設けられる第２カートリッジ５からなり、さらに、前記第１カートリッジ１の前記流出口４と前記第２カートリッジ５の前記流入口７との間が流路１０で連結され、それらが適宜本体９内にセットされてなる。
【０００５】
【発明が解決しようとする課題】
前記従来の水処理装置では、水道水等の原水に含まれている塩素やゴミ、細菌等が第１カートリッジ内の濾過剤により除去され、浄化された水が上端に設けられた流入口から第２カートリッジ内に流入し、該第２カートリッジ内の活性剤から溶出させられるミネラル分、カルシュウム分等が付加されて下端に設けられた流出口から供給される。
【０００６】
しかしながら、該水処理装置においては、前記第１カートリッジ内に充填された濾過剤で浄化された水が、前記第２カートリッジの上端の流入口から流入させられて内部を垂直に下降し、充填された活性剤を溶解させるものであるため、該活性剤の溶解による溶出物によって活性剤の下部層に目詰まりが生じ、さらに活性剤の溶出が減少させられるという問題があった。
【０００７】
本発明は前記事情に鑑みてなされたもので、第２カートリッジ内に第１カートリッジで浄化された水を噴出させることによりミネラル分、カルシュウム分等の溶出量を高めることを目的とし、さらに、第２カートリッジ内でのミネラル分、カルシュウム分等の溶出量を調整可能とすることを目的とする。
【０００９】
【課題を解決するための手段】
前記課題を解決するため、本発明は、水道水等の原水に含まれている塩素やゴミ、細菌等を浄化する第１カートリッジと、該第１カートリッジにより浄化された水を活性化させる第２カートリッジとを備え、前記第１カートリッジと前記第２カートリッジが流路で連結された水処理装置において、それぞれのパイプ側壁に複数の穴を設けた複数本の穴あきパイプが前記第２カートリッジ内に設けられ、前記複数本の穴あきパイプが切換装置を介して前記流路に連通されたものであり、好ましくは、前記切換装置が前記各穴あきパイプの一方あるいは両方に浄化された水を供給できるようにし、さらには前記複数本の穴あきパイプの穴数を異ならしめたり、あるいは穴数を同数として穴径を異ならしめた構成としたものである。
【００１０】
【発明の実施の形態】
以下、本発明の実施の一形態を図面に基づいて説明する。図１は本発明に係る水処理装置の実施の一形態を示す一部を断面にした正面図、図２は他の実施の形態を示す一部を断面にした正面図、図３は第２カートリッジの他の実施の形態を示す一部を断面にした正面図である。
【００１１】
本発明に係る水処理装置の全体構成は、前述した従来の水処理装置と略々同一に構成される。したがって、以下においては同構成、同作用部分には同一符号を付して説明する。
【００１２】
図１に示された１は第１カートリッジであり、その内部には塩素やゴミ、細菌等を除去するための濾過剤、例えば活性炭その他の濾過剤２が充填され、下端には浄化される水道水等の原水の供給口３が設けられ、上端には前記濾過剤２で浄化された水の流出口４が設けられる。
【００１３】
５は第２カートリッジであり、その内部には前記第１カートリッジ１内で浄化された水にミネラル分、カルシュウム分等を付加するための活性剤、例えば炭酸カルシュウムを主成分とするサンゴその他の粒状活性剤６が充填され、上端に前記浄化された水の流入口７が設けられ、下端には前記活性剤６でミネラル分、カルシュウム分等が付加された水の流出口８が設けられる。
【００１４】
そして、前記のごとく構成される前記第１カートリッジ１と前記第２カートリッジ５が本体９内に略平行に並べられてセットされ、さらに、前記第１カートリッジ１の上端の前記流出口４と前記第２カートリッジ５の上端の前記流入口７間が流路１０で連結されている。
【００１５】
そして、本発明では、前記第２カートリッジ５内に前記流路１０に連通する穴あきパイプ１１が延長させられる。図中１１ａは、前記穴あきパイプ１１のパイプ側壁に複数設けられた穴である。
【００１６】
この実施の形態によれば、前記穴あきパイプ１１の各穴１１ａから活性剤６の各層に第１カートリッジ１内で浄化された水が噴出させられ、したがって、ミネラル分、カルシュウム分等の溶出量が高められるとともに溶出物による活性剤６間の目詰まりを防止することができる。
【００１７】
図２の実施の形態は、前記穴あきパイプ１１を複数本、具体的に２本とし、各穴あきパイプ１１，１２が切換装置１３を介して前記流路１０に連通されたものである。すなわち、前記第２カートリッジ５内に複数本の穴あきパイプ１１，１２を前記流路１０との間に切換装置１３を介して設けたものである。図中、１２ａは前記穴あきパイプ１２のパイプ側壁に複数設けられた穴である。
【００１８】
前記切換装置１３は、手動あるいはその他の手段により前記第１カートリッジ１によって浄化された水を前記２本の穴あきパイプ１１、１２のどちらか一方に供給できることの他、両方へ供給できるように構成することが望ましい。
【００１９】
さらに、図２に示すごとく、前記２本の穴あきパイプ１１、１２に設ける穴１１ａ、１２ａの数を異ならしめ、さらにまた図３に示すように２本の穴あきパイプ１１、１２に設ける穴径を異ならしめ、穴数を同数とするとよい。その結果、前記切換装置１３を操作して穴あきパイプ１１、１２の一方あるいは両方へ浄化された水を供給させることにより、各穴１１ａ、１２ａから噴出する水圧を調整することができるとともにミネラル分、カルシュウム分等の溶出量の調整が可能となり、さらに活性剤６間の目詰まりを防止できる。
【００２０】
なお、図示しないが、前記流路１０の適位置に、前記第２カートリッジ５内へ流入させられる浄化された水の圧力を高める装置等を設ければ、前記第２カートリッジ５内の前記活性剤６からのミネラル分、カルシュウム分等の溶出量をさらに高めることができる。
【００２１】
前記構成の本発明では、水道水等の原水が第１カートリッジ１の下端の供給口３から前記第１カートリッジ１内に供給され、該第１カートリッジ１内に充填された濾過剤２により塩素やゴミ、細菌等が除去される。そして、該濾過剤２で浄化された水が前記第１カートリッジ１の上端の流出口４から流路１０に流出する。
【００２２】
つぎに、該流路１０内に流出した浄化された水は、図１の実施の形態では第２カートリッジ５の上端の流入口７を介して第２カートリッジ５内に延長された穴あきパイプ１１に流入させられ、該穴あきパイプ１１の穴１１ａから前記第２カートリッジ５内に充填された活性剤６の各層に噴出する。そして、前記活性剤６同士の摩擦や衝突によって活性剤６からミネラル分、カルシュウム分等が溶出されて前記第２カートリッジ５の下端の流出口８から流出する。
【００２３】
すなわち、本発明では、前記第２カートリッジ５内に流入させられる浄化された水が、前記第２カートリッジ５内に延長された穴あきパイプ１１からその周囲に充填された活性剤６の各層に噴出し、活性剤６を流動化させる。
【００２４】
したがって、従来のように前記第２カートリッジ５内に流入した浄化された水の全てが、該第２カートリッジ５の活性剤６の上部から下部へ向かって規則正しく流されるようなことがなく、したがって活性剤６の下部層に生ずる溶出物による目詰まりを防止することができる。同時に、水分子構造を細分化し、ミネラル、カルシュウムイオンを中核としたおいしい水、体によい水を提供することができる。
【００２５】
また、図２に示した実施の形態では、前記第２カートリッジ５内の２本の穴あきパイプ１１、１２が前記流路１０との間に切換装置１３を介して設けられている。したがって、該切換装置１３によって前記流路１０からの浄化された水を前記２本の穴あきパイプ１１、１２のどちらか一方あるいは両方へ供給することができるように構成することにより、該２本の穴あきパイプ１１、１２の穴１１ａ、１２ａから前記第２カートリッジ５内に充填された活性剤６に向かって噴出させられる浄化された水の水圧を調整することができるとともにミネラル分、カルシュウム分等の溶出量の調整が可能となり、さらに、活性剤６間の目詰まりを防止できる。
【００２６】
すなわち、穴あきパイプ１１、１２の穴１１ａ、１２ａを同じ数あるいは径とした場合でも穴あきパイプ１１あるいは１２のみに浄化された水を供給した場合と、穴あきパイプ１１、１２の両方に同時に浄化された水を供給した場合とでは穴１１ａ、１２ａから噴出する水圧が異なる。すなわち、穴あきパイプ１１あるいは１２の一方にのみに浄化された水を供給した場合の方が、穴あきパイプ１１あるいは１２の両方に同時に浄化された水を供給した場合より穴１１ａ、１２ａから噴出する水圧が高い。
【００２７】
したがって、例えば、使用継続中に目詰まりが感じられた場合には、穴あきパイプ１１あるいは１２を交互に切り替えて第２カートリッジ５の内部全体に高い水圧で浄化された水を供給して活性剤６を流動化させ、目詰まりを解除することができ、同時にミネラル分、カルシュウム分等の溶出量を回復させることができる。
【００２８】
前記のごとき穴あきパイプ１１，１２の穴１１ａ，１２ａから噴出する浄化された水の水圧調整は、図２に示す実施の形態においてはさらに有効に行うことができる。
【００２９】
すなわち、前記のごとく２本の穴あきパイプ１１，１２に設ける穴数を異ならしめた場合には、穴数の少ないパイプ１２から噴出する水の方が穴数の多いパイプ１１から噴出する水よりも高い水圧になるため、必要に応じて切換装置１３により切換えて、目詰りを防止したり、ミネラル分、カルシュウム分等の溶出量の調整をしたりすることができる。
【００３０】
同様の水圧調整は、図３の実施の形態でも同様に行うことができる。すなわち、前記のごとく2本の穴あきパイプ１１，１２の穴径を異ならしめ、穴数を同数とした場合には、穴径の小さいパイプ１２から噴出する水の方が穴径の大きいパイプ１１から噴出する水よりも高い水圧になるため、必要に応じて切換装置１３により穴１１ａ，１２ａから噴出する水圧を切換えることで、目詰りを防止したり、ミネラル分、カルシュウム分等の溶出量の調整をしたりすることができる。
【００３１】
【発明の効果】
本発明によれば、活性剤を充填した第２カートリッジ内に流路に連通する穴あきパイプを延長したことにより、活性剤を流動化させミネラル分、カルシュウム分等の溶出を高め、さらには第２カートリッジ内に充填された活性剤への水圧及びミネラル分、カルシュウム分等の溶出量を調整することができ、同時に活性剤の溶出物による目詰まりを防止することができるとともに、水分子構造を細分化し、ミネラル、カルシュウムイオンを中核としたおいしい水、体によい水を提供することができる。。
【図面の簡単な説明】
【図１】本発明に係る水処理装置の実施の一形態を示す一部を断面にした正面図である。
【図２】他の実施の形態を示す一部を断面にした正面図ある。
【図３】第２カートリッジの他の実施の形態を示す一部を断面にした正面図である。
【符号の説明】
１    第１カートリッジ
２    濾過剤
５    第２カートリッジ
６    活性剤
９    本体
１０  流路
１１  穴あきパイプ
１１ａ  穴
１２  穴あきパイプ
１２ａ  穴
１３  切換装置
【図１】
0003831857.tif 000002
【図２】
0003831857.tif 000003
【図３】
0003831857.tif 000004